(57)【要約】【課題】ユニットバスの設置構造において、建物ユニットの骨組み外面から突出することなく浴室出入口の段差を低減する。【解決手段】床フレーム２１０が、中間縦梁２１１等の上面よりも低い位置に形成されたバスコアフレーム支持レール２２１，２２２およびバスコアフレーム支持ブラケット２２４によってバスコアフレーム１２０を支持することにより、ユニットバス１００を低く設置するとともに、バスコアフレーム１２０が、下面に脚ボルトを備えずに床フレーム２１０に直接支持される構造としたことにより、ユニットバス１００を一層低く設置する。【選択図】　　　　　図３
2004116159.tif 000002
【特許請求の範囲】
【請求項１】
ユニット建物を構成する建物ユニットの床構造にユニットバスを設置するユニットバスの設置構造であって、
前記床構造は、前記ユニットバスの下端部に設けられて該ユニットバスの浴槽一体パンを下方から支持するバスコアフレームの下面を、直接支持することを特徴とするユニットバスの設置構造。
【請求項２】
ユニット建物を構成する建物ユニットの床構造にユニットバスを設置するユニットバスの設置構造であって、
前記床構造は、前記ユニットバスの下端部に設けられて該ユニットバスの浴槽一体パンを下方から支持するバスコアフレームの延設方向に沿って設けられた複数の梁を有する床フレームを備えるとともに、前記梁の間には、該梁の上面よりも低い位置で前記バスコアフレームを支持するバスコアフレーム支持部が設けられたことを特徴とするユニットバスの設置構造。
【請求項３】
前記バスコアフレームと前記浴槽一体パンとの間に、該浴槽一体パンの傾きを調整するアジャスタボルトが備えられたことを特徴とする請求項１または２に記載のユニットバスの設置構造。
【発明の詳細な説明】
【０００１】
【発明の属する技術分野】
本発明は、ユニットバスの設置構造に関するものである。
【０００２】
【従来の技術】
従来より、ユニット化されたラーメン構造体（建物ユニット）を上下左右に連結して形成されるユニット建物が知られている。
【０００３】
このユニット建物を構成する各建物ユニットには、それぞれ用途に応じた内装設備が設置されるが、そのような内装設備の一つとして、ユニットバスがある。
【０００４】
このユニットバスは、浴槽と洗い場とが一体的に形成された浴槽一体パンと、浴槽一体パンを下方から支持するバスコアフレームとから構成され、壁パネルおよび天井パネル等とともに工場において建物ユニットの一つに予め組み付けられ、ユニット建物の建築施工現場に搬送されて他の建物ユニットと連結される。
【０００５】
ここで、従来のユニットバスの一例を図７に示す。
【０００６】
このユニットバス１００は、建物ユニットの床に形成され、複数の梁を備えた床フレーム２１０とこの床フレーム２１０上に貼られた床板２５０とからなる床構造２００の上に設置されたものであり、浴槽一体パン１１０を下方から支持するバスコアフレーム１２０には、下方に延びた複数の脚ボルト１９０が設けられて、この脚ボルト１９０が、床板２５０上に設置されている。
【０００７】
そして、このように設置されたユニットバス１００は、建物ユニットの最下端面よりも高い位置にあり、浴槽一体パン１１０の洗い場１１１と、この洗い場１１１の出入口（浴室の出入口）に通じる他の床面２６０との段差Ｈは大きいものとなり、洗い場１１１に入るためには、この段差Ｈを跨ぎ越える必要がある。
【０００８】
一方、近年はバリアフリーの要請から、可能な限り段差を無くすことが求められている。
【０００９】
このため、浴室出入口の段差Ｈも低減化することが求められており、従来は専らユニットバス単体での低床化に頼った改良が行われていた。
【００１０】
しかし、ユニットバス単体での低床化には限界があることから、建物ユニットの床構造に、ユニットバスの浴槽下部を建物ユニット最下端面よりも低い位置に落とし込む落とし込み床を設けた構造が提案されている（特許文献１）。
【００１１】
この構造によれば、洗い場と浴槽との跨ぎ高さを低く維持し、かつ浴槽の深さを十分に確保しつつ、上記浴室出入口との段差も小さくし、または無くすことができる。
【００１２】
【特許文献１】
特開平８−３２６１６２号公報
【００１３】
【発明が解決しようとする課題】
しかし、上述した落とし込み床を設けた技術では、工場でユニットバスが予め設置された建物ユニットは、落とし込み床の下面が建物ユニットの骨組み構造の最下端面よりも下方に突出したものとなる。
【００１４】
したがって、この建物ユニットを工場から建築施工現場に搬送するとき、トラック等の荷台に建物ユニットを載置するに際して、落とし込み床の下面を保護するため、荷台と建物ユニットの骨組み構造下面との間に、嵩上げ用の枠台を配置する必要がある。
【００１５】
そしてこのような枠台を荷台との間に挟み込んで積載された建物ユニットは、搬送時の安定性が悪化するとともに、積載作業の煩雑化、搬送コストの上昇などを招くことになる。
【００１６】
本発明は上記事情に鑑みなされたものであり、建物ユニットの骨組み外面から突出することなく、浴室出入口の段差を低減することができるユニットバスの設置構造を提供することを目的とするものである。
【００１７】
【課題を解決するための手段】
上記課題を解決するため、本発明の請求項１に係るユニットバスの設置構造は、ユニット建物を構成する建物ユニットの床構造にユニットバスを設置するユニットバスの設置構造であって、前記床構造は、前記ユニットバスの下端部に設けられて該ユニットバスの浴槽一体パンを下方から支持するバスコアフレームの下面を、直接支持することを特徴とする。
【００１８】
このように構成された本発明の請求項１に係るユニットバスの設置構造によれば、床構造がバスコアフレームの下面を直接支持するため、バスコアフレームに従来設けられていた脚ボルトを介して支持することがなく、この脚ボルトの下面からバスコアフレームの下面までの高さ分だけ、ユニットバスの全体を低く設置することができる。
【００１９】
また、建物ユニットに落とし床を設けるものではないため、ユニットバスの下部が建物ユニットの外面から突出することがない。
【００２０】
本発明の請求項２に係るユニットバスの設置構造は、ユニット建物を構成する建物ユニットの床構造にユニットバスを設置するユニットバスの設置構造であって、前記床構造は、前記ユニットバスの下端部に設けられて該ユニットバスの浴槽一体パンを下方から支持するバスコアフレームの延設方向に沿って設けられた複数の梁を有する床フレームを備えるとともに、前記梁の間には、該梁の上面よりも低い位置で前記バスコアフレームを支持するバスコアフレーム支持部が設けられたことを特徴とする。
【００２１】
このように構成された本発明の請求項２に係るユニットバスの設置構造によれば、床フレームの梁間の溝にバスコアフレームが落とし込まれ、この梁間に形成されたバスコアフレーム支持部にバスコアフレームが支持される。
【００２２】
したがって、床フレーム上に床板が形成されていた従来の設置構造に比べて、バスコアフレームが梁間に落とし込まれる高さ分、ユニットバスを低く設置することができ、ユニットバスの設置高さを低く設定することができる。
【００２３】
なお、請求項２に係るユニットバスの設置構造は、脚ボルトの有無に拘わらないが、この脚ボルトを除去し、バスコアフレームの下面がバスコアフレーム支持部に接するように、バスコアフレーム支持部がバスコアフレームを直接支持する設置構造とするのがより好ましい。
【００２４】
このように、バスコアフレーム支持部がバスコアフレームを直接支持する構成の設置構造によれば、さらに脚ボルトの高さ分だけユニットバスの設置位置を低くすることができる。
【００２５】
本発明の請求項３に係るユニットバスの設置構造は、請求項１または２に係るユニットバスの設置構造において、前記バスコアフレームと前記浴槽一体パンとの間に、該浴槽一体パンの傾きを調整するアジャスタボルトが備えられたことを特徴とする。
【００２６】
このように構成された本発明の請求項３に係るユニットバスの設置構造によれば、請求項１または２に係るユニットバスの設置構造の作用、効果に加えて、アジャスタボルトによって、バスコアフレームに対する浴槽一体パンの高さを調整することができ、このバスコアフレームは建物ユニットの床構造に設置されるため、この結果、建物ユニットの床構造に対する浴槽一体パンの高さ調整を容易に行うことができる。
【００２７】
【発明の実施の形態】
以下、本発明に係るユニットバス１００の設置構造についての具体的な実施の形態を、図面を参照して説明する。
【００２８】
図１は、本発明の一実施形態に係るユニットバス１００の設置構造を示す図、図２は、ユニットバス１００を構成する浴槽一体パン１１０とバスコアフレーム１２０とを示す図、図３は、図１に示した設置構造の詳細を示す図である。
【００２９】
図１に示した設置構造は、ユニットバス１００とこのユニットバス１００が設置される建物ユニットの床フレーム２００とからなる。
【００３０】
ここで、ユニットバス１００は、図２に示すように、浴槽一体パン１１０とバスコアフレーム１２０とからなり、浴槽一体パン１１０は、樹脂等によって成形された浴槽１１２および洗い場１１１が一体化されたものであり、バスコアフレーム１２０は、この浴槽一体パン１１０の下面に取り付けられ、浴槽一体パン１１０の剛性を確保して下方から支持するものである。
【００３１】
バスコアフレーム１２０は、図３にその詳細を示すように、床フレーム２１０に向かって送り込む方向Ｘに沿って設けられた２本の縦フレーム１２１，１２２と、これら２本の縦フレーム１２１，１２２間に渡して設けられた横フレーム１２３，１２４，１２７と、横フレーム１２４と平行に、縦フレーム１２１，１２２から外方に突出して設けられた短横フレーム１２５，１２６とを備え、各縦フレーム１２１，１２２の浴槽１１２を支持する部分が洗い場１１１を支持する部分よりも低くなるように中間部が傾斜して、送込み方向Ｘ前端側と後端側とは段差を有している。
【００３２】
そして、後端側よりも低く形成された前端側の横フレーム１２３は、縦フレーム１２１，１２２の上面に載置された状態で固設されている。
【００３３】
一方、床フレーム２１０は、建物ユニットの床部に設けられ、２本の縦フレーム２１９，２２０および２本の横フレーム２１７，２１８によって略矩形の外枠を形成し、この外枠によって囲まれた内側に、複数の中間梁が設けられている構造である。
【００３４】
これらの中間梁は、その間にバスコアフレーム１２０の縦フレーム１２１，１２２の前端側を落とし込むのに必要な間隔を確保して、縦フレーム１２１，１２２の延設方向に沿って配設された中間縦梁２１１，２１２および２１３，２１４と、各外側の中間縦梁２１２，２１４と縦フレーム２１９，２２０とをそれぞれ接続する３本ずつの中間短横梁２１５，２１６と、中間縦梁２１２，２１１，２１３，２１４に渡して連結される中間横梁２２３と、中間縦梁２１１，２１２の間と中間縦梁２１３，２１４の間にそれぞれ設けられたバスコアフレーム支持レール２２１，２２２（バスコアフレーム支持部）およびバスコアフレーム支持ブラケット２２４（バスコアフレーム支持部）とからなる。
【００３５】
ここで、バスコアフレーム支持レール２２１，２２２は、断面が上方に開口したコ字形鋼（Ｃ型鋼）であり、これらバスコアフレーム支持レール２２１，２２２の各側壁はそれぞれ隣接する中間縦梁２１１，２１２、２１３，２１４の側壁に接合されている。
【００３６】
また、これらバスコアフレーム支持レール２２１，２２２の底面は、中間縦梁２１１〜２１４の上面よりも低く、これら中間縦梁２１１〜２１４の底面と略同じ高さ位置となるように設けられている。
【００３７】
さらに、中間縦梁２１１〜２１４の底面は建物ユニットの下端の位置と略同じ高さ位置であるため、バスコアフレーム支持レール２２１，２２２の底面は、建物ユニットの下端と略同一高さ位置となっている。
【００３８】
そして、浴槽一体パン（図３において図示せず）を支持してなるバスコアフレーム１２０は、床フレーム２１０に対して矢印Ｘ方向に送り込まれ、各縦フレーム１２１，１２２の前端側が、それぞれ対応する中間縦梁２１１，２１２の間および２１３，２１４の間に挿入されて、バスコアフレーム支持レール２２１，２２２の上記底面上に載置される（図３の○印部詳細図参照）。
【００３９】
このとき、バスコアフレーム１２０のＡ部，Ｂ部，Ｃ部は、それぞれ床フレーム２１０のＡ′部，Ｂ′部，Ｃ′部に対応して設置される。
【００４０】
これら対応するＡ部／Ａ′部、Ｂ部／Ｂ′部、Ｃ部／Ｃ′部の詳細を図４（ａ），（ｂ），（ｃ）にそれぞれ示すとともに、バスコアフレーム１２０が床フレーム２１０に設置された状態におけるＡ部／Ａ′部のＤ−Ｄ線断面およびＣ部／Ｃ′部のＥ−Ｅ線断面を図５（ａ），（ｂ）にそれぞれ示す。
【００４１】
なお、Ｂ部／Ｂ′部については、Ａ部／Ａ′部と同様の断面であるため記載を省略している。
【００４２】
図４，５に示すように、縦フレーム１２１の前端横フレーム１２３よりも送込み方向Ｘの前方には、断面Ｌ字形の固定金具２３１が固設され、バスコアフレーム１２０が床フレーム２１０に設置されて、縦フレーム１２１がバスコアフレーム支持レール２２１に載置された状態で、この前側横フレーム１２３の固定金具２３１と対向する中間縦梁２１２上の位置にも、固定金具２３１が固設されている。
【００４３】
また、縦フレーム１２１の前端横フレーム１２３よりも送込み方向Ｘの後方には、バスコアフレーム１２０に対する浴槽一体パン１１０の高さを調整するためのアジャスタボルト２３５が配設されている。
【００４４】
同様に、縦フレーム１２１の中間部近傍および対応する中間縦梁２１２にも、固定金具２３１が固設され、縦フレーム１２１の固定金具２３１より送込み方向Ｘの後方に、アジャスタボルト２３５が配設されている。
【００４５】
なお、この縦フレーム１２１と対になっている他方の縦フレーム１２２についても同様の固定金具２３１およびアジャスタボルト２３５が固設され、中間縦梁２１２と対になっている他方の中間縦梁２１４についても同様の固定金具２３１が固設されている。
【００４６】
また、後端横フレーム１２４の両端下面側には、アジャスタボルト２３５と同様のアジャスタボルト２３６が固設されており、このアジャスタボルト２３６は、バスコアフレーム１２０が床フレーム２１０に設置された状態で、バスコアフレーム支持ブラケット２２４上に当接するように設定されている。
【００４７】
次に、本実施形態に係るユニットバスの設置構造の作用について説明する。
【００４８】
まず、図３に示すように、浴槽一体パン１１０（図示せず）を支持してなるバスコアフレーム１２０が、建物ユニットの床に形成された床フレーム２１０に対して、矢印Ｘ方向に送り込まれる。
【００４９】
そして、床フレーム２１０上に送り込まれたバスコアフレーム１２０は、各縦フレーム１２１，１２２の前端部がこの送込み方向Ｘに沿って形成された中間縦梁２１１，２１２間の隙間であるバスコアフレーム支持レール２２１、および中間縦梁２１３，２１４間の隙間であるバスコアフレーム支持レール２２２にそれぞれ挿通されることにより、これらバスコアフレーム支持レール２２１，２２２を案内レールとして、Ｘ方向に真っ直ぐ送り込まれ、バスコアフレーム１２０の横フレーム１２４および短横フレーム１２５，１２６に各々設けられたアジャスタボルト２３６がそれぞれ対応するバスコアフレーム支持ブラケット２２４上に載置されて、バスコアフレーム１２０は床フレーム２１０上に配置される。
【００５０】
このように、バスコアフレーム１２０の縦フレーム１２１，１２２と、床フレーム２１０の中間縦梁２１１，２１２，２１３，２１４とが、いずれもユニットバス１００の送込み方向Ｘに沿って延設され、しかも、縦フレーム１２１，１２２が、中間縦梁２１１，２１２の間、中間縦梁２１３，２１４の間にそれぞれ挿通してＸ方向に真っ直ぐ案内されるため、ユニットバス１００を床フレーム２１０上に送り込む作業の際に、微細な位置合わせ操作を行うことなく、ユニットバス１００を床フレーム２１０上の適切な位置に配置することができ、作業を容易化することができる。
【００５１】
また、床フレーム２１０は各中間縦梁２１１等の上面に、従来の設置構造のような床板（図７における符号２５０）を備えず、各中間縦梁２１１等の上面よりも低く、建物ユニットの略下端位置に形成されたバスコアフレーム支持２２１，２２２およびバスコアフレーム支持ブラケット２２４によって、バスコアフレーム１２０を支持するため、従来の床板２５０上で支持していた設置構造に比べて、建物ユニットに対するユニットバス１００の設置位置を相対的に低くすることができ、浴室出入口の段差を低減することができる。
【００５２】
しかも、これらバスコアフレーム支持レール２２１，２２２およびバスコアフレーム支持ブラケット２２４は、建物ユニットの骨組みの最下面から下方に突出するものではないため、建物ユニットの搬送時に、嵩上げ用の枠台等を追加的に設ける必要もない。
【００５３】
さらに、浴槽一体パン１１０のうち洗い場１１１よりも相対的に低い底面位置の浴槽１１２部分に対応するバスコアフレーム１２０前端部分は、従来の設置構造の如き脚ボルト（図７における符号１９０）を下面に備えておらず、縦フレーム１２１，１２２の下面がバスコアフレーム支持レール２２１，２２２上に直接設置されるため、この脚ボルト１９０の高さ分だけ、建物ユニットに対するユニットバス１００の設置位置を、従来よりもさらに低くすることができる。
【００５４】
上述したように、床フレーム２１０上にバスコアフレーム１２０が配置された状態で、図４（ａ），（ｂ）および図５（ａ）に示すように、各縦フレーム１２１，１２２に設けられた固定金具２３１と、各中間縦梁２１２，２１４に設けられた固定金具２３１とを、締結ボルト２３２およびナット２３３により締結することによって、バスコアフレーム１２０と床フレーム２１０とは連結される。
【００５５】
次いで、浴槽一体パン１１０が建物ユニットの床フレーム２１０に対して、いずれかの方向に傾いているか否かが点検され、傾いていると判定された場合は、各アジャスタボルト２３５，２３６の突出長さを調整することにより、床フレーム２１０に対する浴槽一体パン１１０の傾きを適切に設定することができる。
【００５６】
このようにして、傾き調整を完了して、建物ユニットへのユニットバス１００の設置は完了する。
【００５７】
【変形例】
上述した実施の形態に係るユニットバスの設置構造においては、さらに、ユニットバス１００の断熱性を向上させる構造を採用するのが好ましく、図６は、このような断熱性向上を図った変形例を示すものである。
【００５８】
すなわち、図６に示した床フレーム２１０は、図３に示した床フレーム２１０の各フレームと中間梁とによって区画された空間領域等に、それぞれ断熱材２４０を充填したものであり、このように床フレーム２１０に断熱材２４０を配設した構造によって、浴槽一体パン１１０の下面側が断熱材２４０に覆われ、ユニットバス１００の断熱性を向上させることができる。
【００５９】
特に、本発明に係るユニットバスの設置構造においては、床構造（床フレーム）がバスコアフレームの下面を直接支持するため、ユニットバス下面側の空気層が薄くなり、空気層によって得られる断熱性の低下を招き易いが、このように断熱材２４０を追加的に設けた構造では、断熱性の低下を補償する上で極めて有効である。
【００６０】
なお、図６（ｂ），（ｃ）の断面図に示すように、断熱材２４０と、隣接する各中間梁や各フレームとを、気密テープ２４１によって貼着した構造とするのが好ましく、このような構造を採用することにより、床フレーム２１０の気密性を向上させることができる。
【００６１】
【発明の効果】
以上説明したように、本発明の請求項１に係るユニットバスの設置構造によれば、床構造がバスコアフレームの下面を直接支持するため、バスコアフレームに従来設けられていた脚ボルトを介して支持することがなく、この脚ボルトの下面からバスコアフレームの下面までの高さ分だけ、ユニットバスの全体を低く設置することができる。
【００６２】
また、建物ユニットに落とし床を設けるものではないため、ユニットバスの下部が建物ユニットの外面から突出することがない。
【００６３】
本発明の請求項２に係るユニットバスの設置構造によれば、床フレームの梁間の溝にバスコアフレームが落とし込まれ、この梁間に形成されたバスコアフレーム支持部にバスコアフレームが支持される。
【００６４】
したがって、床フレーム上に床板が形成されていた従来の設置構造に比べて、バスコアフレームが梁間に落とし込まれる高さ分、ユニットバスを低く設置することができ、ユニットバスの設置高さを低く設定することができる。
【００６５】
本発明の請求項３に係るユニットバスの設置構造によれば、請求項１または２に係るユニットバスの設置構造の作用、効果に加えて、アジャスタボルトによって、バスコアフレームに対する浴槽一体パンの高さを調整することができ、このバスコアフレームは建物ユニットの床構造に設置されるため、この結果、建物ユニットの床構造に対する浴槽一体パンの高さ調整を容易に行うことができる。
【図面の簡単な説明】
【図１】本発明の実施の形態に係るユニットバスの設置構造を示す図である。
【図２】図１に示したユニットバスを示す図である。
【図３】バスコアフレームおよび床フレームの構造を示す図である。
【図４】バスコアフレームと床フレームとの設置構造を示す図（その１）である。
【図５】バスコアフレームと床フレームとの設置構造を示す図（その２）である。
【図６】断熱材を敷設した床フレームを有するユニットバスの設置構造の実施形態（変形例）を示す図である。
【図７】従来のユニットバスの設置構造を示す図である。
【符号の説明】
１００　ユニットバス
１１０　浴槽一体パン
１１１　洗い場
１１２　浴槽
１２０　バスコアフレーム
１２１，１２２　縦フレーム
１２３，１２４，１２７　横フレーム
１２５，１２６　短横フレーム
１９０　脚ボルト
２００　床構造
２１０　床フレーム
２１１，２１２，２１３，２１４　中間縦梁
２１５，２１６　中間短横梁
２１７，２１８　横フレーム
２１９，２２０　縦フレーム
２２１，２２２　バスコアフレーム支持レール（バスコアフレーム支持部）
２２３　中間横梁
２２４　バスコアフレーム支持ブラケット（バスコアフレーム支持部）
２３１　固定金具
２３２　締結ボルト
２３３　ナット
２３５，２３６　アジャスタボルト
２４０　断熱材
２４１　気密テープ
２５０　床板
２６０　他の床面
Ｈ　　　段差
【図１】
2004116159.tif 000003
【図２】
2004116159.tif 000004
【図３】
2004116159.tif 000005
【図４】
2004116159.tif 000006
【図５】
2004116159.tif 000007
【図６】
2004116159.tif 000008
【図７】
2004116159.tif 000009